(57)【要約】【課題】  ＩＤカードで認証を行う必要がある場所に入る際にＩＤカードの発行を行うことができるＩＤカード発行システムを提供する。【解決手段】  ＩＤカード発行装置と、ＩＤカード発行装置と通信可能に接続されたサーバとからなり、ＩＤカード発行装置は、生体情報を読み取る手段と、読み取った生体情報をサーバに送信する手段と、サーバから受信したＩＤカード発行用情報に基づき、ＩＤカードに個人情報を表示させる手段と、ＩＤカードの情報記録部又は記憶部に個人情報を記録又は記憶させる手段とを有し、サーバは、予めＩＤカード利用者の身体から読み取った生体情報と関係付けて、ＩＤカード利用者の個人情報が登録されている個人情報データベースと、ＩＤカード発行装置から受信した生体情報に基づき個人情報データベースの登録情報から、個人情報を抽出する抽出手段と、抽出された個人情報をＩＤカード発行装置に送信する手段とを有する。【選択図】        図１
2008027106.tif 000002
【特許請求の範囲】
【請求項１】
本人認証処理を行う際に使用するためのＩＤカードを発行するＩＤカード発行装置と、前記ＩＤカード発行装置と通信可能に接続されたサーバとからなるＩＤカード発行システムであって、
前記ＩＤカード発行装置は、ＩＤカード利用者の身体から生体情報を読み取る手段と、読み取った生体情報を前記サーバに送信する手段と、前記サーバから受信したＩＤカード発行用情報に基づいて、前記ＩＤカードに個人情報を表示させる手段と、更に、前記ＩＤカードの情報記録部又は記憶部に個人情報を記録又は記憶させる手段とを有し、
前記サーバは、予めＩＤカード利用者の身体から読み取った生体情報と関係付けて、ＩＤカード利用者の個人情報が登録されている個人情報データベースと、前記ＩＤカード発行装置から受信した生体情報に基づいて、前記個人情報データベースの登録情報から、該生体情報と関係付けられている個人情報を抽出する抽出手段と、前記抽出手段で抽出された個人情報を前記ＩＤカード発行装置に送信する手段とを有することを特徴とするＩＤカード発行システム。
【請求項２】
前記ＩＤカード発行装置は、回収したＩＤカードに表示されている個人情報を消去する手段と、回収したＩＤカードの情報記録部又は記憶部に記録又は記憶されている個人情報を消去する手段とを有することを特徴とする請求項１記載のＩＤカード発行システム。
【請求項３】
前記ＩＤカード発行装置は、回収したＩＤカードを発行用のＩＤカードとして保存するカードストッカー部を有することを特徴とする請求項１記載のＩＤカード発行システム。
【発明の詳細な説明】
【技術分野】
【０００１】
本発明は、本人認証処理を行う際に使用するＩＤカードを発行するためのＩＤカード発行システムに関する。
【背景技術】
【０００２】
従来、個人にＩＤカードを発行することで、そのＩＤカードに表示された情報や、ＩＤカードの記録部や記憶部に記録又は記憶された情報に基づいて、本人の認証の確認を行ったり、機械的に認証処理が行えるようにしている。
これらのＩＤカードは、社員証カード、会員カード、顧客カードなど様々な立場の個人に発行されているが、通常これらのＩＤカードを発行する際には、予め個人情報をデータベースに登録させておき、ＩＤカードに記録又は記憶させた固有情報と関係付けて発行する場合が多く、種々のＩＤカードの発行システムが公知となっている。（例えば、特許文献１〜４参照）
【０００３】
【特許文献１】特開平５−３３６０４０号公報
【特許文献２】特開平６−１８７５０９号公報
【特許文献３】特開平９−８１６９５号公報
【特許文献４】特開平９−１４７０６１号公報
【０００４】
これらのＩＤカードは、利用者に発行されるとその後、その利用者が所持することになり、有効期限が定められている場合には、有効期限まで所持して使用することができる。
しかしながら、一度発行されたＩＤカードが利用者に渡り、常時それらのＩＤカードを財布やカード入れなどに入れて持ち歩くことで、うっかう紛失してしまったり、盗難にあってしまうこともあり、それらのＩＤカードが第三者によって不正使用されるといった危険性があるという問題がある。
【発明の開示】
【発明が解決しようとする課題】
【０００５】
本発明は、ＩＤカードを使用する必要がない場所にいる時には、ＩＤカードを所持しないで、ＩＤカードを使用して認証を行う必要がある場所に入る際に、発行を受ける資格を有する者に確実にＩＤカードの発行を行うことができ、更に、ＩＤカードを使用して認証を行う必要がある場所から出る際に、ＩＤカードを返却できるようにして、回収されたＩＤカードに表示や記録、記憶された個人情報の漏洩を防止し、更に、ＩＤカードの紛失や盗難による第三者の不正使用を防止することができるＩＤカード発行システムを提供する。
【課題を解決するための手段】
【０００６】
本発明のＩＤカード発行システムは、本人認証処理を行う際に使用するためのＩＤカードを発行するＩＤカード発行装置と、前記ＩＤカード発行装置と通信可能に接続されたサーバとからなるＩＤカード発行システムであって、前記ＩＤカード発行装置は、ＩＤカード利用者の身体から生体情報を読み取る手段と、読み取った生体情報を前記サーバに送信する手段と、前記サーバから受信したＩＤカード発行用情報に基づいて、前記ＩＤカードに個人情報を表示させる手段と、更に、前記ＩＤカードの情報記録部又は記憶部に個人情報を記録又は記憶させる手段とを有し、前記サーバは、予めＩＤカード利用者の身体から読み取った生体情報と関係付けて、ＩＤカード利用者の個人情報が登録されている個人情報データベースと、前記ＩＤカード発行装置から受信した生体情報に基づいて、前記個人情報データベースの登録情報から、該生体情報と関係付けられている個人情報を抽出する抽出手段と、前記抽出手段で抽出された個人情報を前記ＩＤカード発行装置に送信する手段とを有することを特徴とする。
【０００７】
また、本発明のＩＤカード発行システムは、前記ＩＤカード発行装置は、回収したＩＤカードに表示されている個人情報を消去する手段と、回収したＩＤカードの情報記録部又は記憶部に記録又は記憶されている個人情報を消去する手段とを有すること特徴とする。
【０００８】
更に、本発明のＩＤカード発行システムは、前記ＩＤカード発行装置は、回収したＩＤカードを発行用のＩＤカードとして保存するカードストッカー部を有することを特徴とする。
【発明の効果】
【０００９】
本発明のＩＤカード発行システムは、ＩＤカードを利用する場所に入る際に、ＩＤカード利用者の身体から生体情報に基づいて、個人情報データベースからＩＤカードに表示させる個人情報や、ＩＤカードの情報記録部又は記憶部に記録又は記憶させる個人情報を抽出させて、ＩＤカードにこれらの個人情報を表示、記録又は記憶させて発行させるので、発行を受ける資格を有する者に確実にＩＤカードの発行を行うことができるという効果がある。
【００１０】
また、本発明のＩＤカード発行システムは、回収したＩＤカードに表示されている個人情報を消去し、また、情報記録部又は記憶部に記録又は記憶されている個人情報を消去するので、ＩＤカードを使用して認証を行う必要がある場所から出る際に、ＩＤカードを返却でき、回収されたＩＤカードに表示や記録、記憶された個人情報の漏洩を防止し、更に、ＩＤカードの紛失や盗難による第三者の不正使用を防止することでできるという効果がある。
【００１１】
更に、本発明のＩＤカード発行システムは、回収したＩＤカードを保存するカードストッカー部を有しているので、その回収したＩＤカードを再使用して発行処理を行うことができるという効果がある。
【発明を実施するための最良の形態】
【００１２】
以下、本発明の実施形態に係るＩＤカード発行システムを、図面に基づいて詳細に説明する。
図１及び図２は、本発明の実施形態に係るＩＤカード発行システムの概要を説明する図、図３は、本発明の実施形態に係るＩＤカード発行システムのシステムブロック図、図４は、本発明の実施形態に係るＩＤカード発行システムの処理手順を説明するフローチャート図である。
【００１３】
まず、本発明の実施形態に係るＩＤカード発行システムの概要を、図１及び図２に基づいて説明する。
部屋１の利用者２が、出入りする出入口３付近には、ＩＤカード発行装置４が備えられており、出入口３から入室する利用者２に対して、ＩＤカード５の発行を行い、また、出入口３から退室する利用者２からＩＤカード５の返却、回収を行う。
ＩＤカード発行装置４で発行、回収を行うＩＤカード５は、図２に示すように、利用者２が部屋１に入室した後に、室内に備えられている会議室などの入退室管理装置６や、パソコン７や、キャビネット８などの設備、機器を使用する際に必要な認証処理に用いられる。
また、ＩＤカード５は、目視により本人確認が行えるようにするために、顔写真画像９がカード表面に表示され、更に、認証用の情報を書き込んで記録できるようにするために磁気記録部１０を有している。
尚、磁気記録部の代わりにＩＣチップを内蔵させて、情報を記憶させるようにしてもよい。
【００１４】
また、ＩＤカード発行装置４は、図１に示すように、ＩＤカード５の利用者２の個人情報が予め登録されている個人情報データベースが備えられたサーバ１１と通信線１２を介して、通信可能に接続されている。
ＩＤカード発行装置４は、サーバ１１から受信した情報に基づいて、ＩＤカード５に顔写真画像９や文字情報を表示したり、磁気記録部１０に認証用の情報を書き込んで記録させる。
【００１５】
次に、図３に基づいて、本発明の実施形態に係るＩＤカード発行システムのシステム構成を説明する。
ＩＤカード発行装置４は、生体情報送信手段１３、生体情報読取手段１４、カード排出手段１５、個人情報書込表示手段１６、認証用情報書込手段１７、インターフェース（Ｉ/Ｆ）１８、カード回収手段１９、表示消去手段２０、認証用情報消去手段２１、制御手段２２、カードストッカー２３などが備えられている。
【００１６】
生体情報読取手段１４は、出入口３から入室する利用者２の身体から、照合用の生体情報を読み取る。
これらの生体情報としては、指紋、網膜、虹彩、静脈パターンなどがあり、それらは個人ごとに異なる固有情報である。
また、これらの生体情報に基づいて生成した情報を用いてもよい。
生体情報送信手段１３は、生体情報読取手段１４で読み取った生体情報をサーバ１１に送信させる機能を有する。
【００１７】
個人情報書込表示手段１６は、ＩＤカード５の表面または裏面に目視可能な状態で、顔写真画像９や文字などからなる個人情報を書き込んで表示させる機能を有する。
認証用情報書込手段１７は、磁気記録部１０に認証用情報を書き込んで記録させる機能を有する。
カード排出手段１５は、完成されたＩＤカード５を利用者２に渡せる状態となるようにカード受取部などに排出する機能を有する。
【００１８】
カードストッカー２３は、発行前のＩＤカード５を保存させておくための部分であり、更に、回収されたＩＤカード５も再利用されるためにカードストッカー２３に回収される。
また、カード回収手段１９は、ＩＤカード５の利用者２が退室する際に、ＩＤカード５を返却するためＩＤカード発行装置４に備えられたＩＤカード回収口に挿入されたＩＤカード５をカードストッカー２３に回収する機能を有する。
表示消去手段２０は、個人情報書込表示手段１６でＩＤカード５の表面または裏面に表示させた情報を消去させる機能を有する。
【００１９】
認証用情報消去手段２１は、認証用情報書込手段１７で磁気記録部１０に記憶させた認証用情報を消去させる機能を有する。
また、認証用情報を記憶部に記憶させた場合には、その記憶させた認証用情報を消去させる機能を有する。
【００２０】
次に、サーバ１１は、インターフェース（Ｉ/Ｆ）２４、カード発行用情報送信手段２５、照合手段２６、カード発行用情報抽出手段２７、記憶手段２８、制御手段２９、個人情報データベース３０などが備えられている。
個人情報データベース３０には、予めＩＤカード５の利用者２に身体から読み取られた照合用の生体情報と、その生体情報に関係付けて利用者の氏名、顔写真情報、属性情報などの個人情報が登録されている。
したがって、生体情報に基づいて、個人情報データベース３０に登録されている個人情報を抽出し、ＩＤカード５にそれらの個人情報を表示、認証用情報を記録、記憶させて発行できるようになっている。
【００２１】
照合手段２６は、サーバ１１がＩＤカード発行装置４から受信した生体情報と、個人情報データベース３０に登録されている生体情報とを照合する機能を有している。
また、カード発行用情報抽出手段２７は、個人情報データベース３０の登録情報の中から、照合手段２６で照合一致した生体情報と関係付けれらている利用者の氏名、顔写真情報、属性情報、認証用情報などの個人情報を抽出する機能を有する。
カード発行用情報送信手段２５は、抽出された利用者の氏名、顔写真情報、属性情報、認証用情報などの個人情報をＩＤカード発行装置４に送信する機能を有する。
【００２２】
次に、本発明の実施形態に係るＩＤカード発行システムの処理手順を、図４に示すフローチャート図に基づいて説明する。
尚、本発明の実施形態に係るＩＤカード発行システムの処理手順の説明では、生体情報として指紋情報を用いた場合について説明する。
まず、部屋１の利用者２は、出入口３から入室する際に、ＩＤカード発行装置４に備えられている生体情報読取手段１４で指紋情報からなる生体情報を読み取らせる。（ステップＳ１）
ＩＤカード発行装置４は、サーバ１１に対してその生体情報を送信させる。（ステップＳ２）
【００２３】
サーバ１１は、個人情報データベース３０の登録情報と、ＩＤカード発行装置４から受信した生体情報との照合処理を行う。（ステップＳ３）
この照合処理で、照合一致した登録情報の生体情報に関係付けられて登録されている利用者の氏名、顔写真情報、属性情報、認証用情報などの個人情報を抽出する。（ステップＳ４）
次に、サーバ１１からＩＤカード発行装置４に対して、抽出されたそれらの個人情報を送信する。（ステップＳ５）
【００２４】
ＩＤカード発行装置４は、サーバ１１から受信した個人情報に基づいて、カードストッカー２３にストックされている発行前のＩＤカードに所定の表示を行うと共に、磁気記録部１０に認証用情報を書き込んで記録させる。（ステップＳ６）
そして、利用者２がＩＤカード５を受け取れるように、ＩＤカード発行装置４からＩＤカード５を排出させて発行する。（ステップＳ７）
【００２５】
以上のようにして、利用者２は、生体情報をＩＤカード発行装置４に読み取らせることによって、予め個人情報データベース３０の登録情報に基づいて、入室する際にＩＤカード５の発行が受けられるようにしてある。
そして、入室した利用者２は、ＩＤカード５に顔写真などの個人情報が表示されているので、室内の行動において目視による本人確認を行うことができると共に、ＩＤカード５に認証用情報が記録や記憶されているので、室内に備えられている各種の機器類を利用する際にも、利用時に必要な認証を受けることができる。
【００２６】
また、利用者２が退室する場合には、出入口３付近に設置されているＩＤカード発行装置４のカード回収口にＩＤカード５を挿入することで、利用されたＩＤカード５の回収を行うことができる。
そして、ＩＤカード発行装置４に回収されたＩＤカード５は、表示消去手段２０でＩＤカード５の表示を消去させ、更に、認証用情報消去手段２１で記録や記憶されている認証用情報の消去が行われて、カードストッカー２３に再利用可能に保存される。
【００２７】
したがって、本発明のＩＤカード発行システムでは、ＩＤカード５で身分を証明したり、認証が必要な部屋や場所に入る際に、その都度、利用者２の生体情報に基づいてＩＤカード５を発行して、それらの部屋や場所から出る際に返却、回収するので、ＩＤカード５が必要でない場所にいる場合には、ＩＤカード５を所持しなくてもよいようにしてある。
このため、ＩＤカード５を落としたり、盗難にあうことを防止することができる。
【図面の簡単な説明】
【００２８】
【図１】本発明の実施形態に係るＩＤカード発行システムの概要を説明する図である。
【図２】本発明の実施形態に係るＩＤカード発行システムの概要を説明する図である。
【図３】本発明の実施形態に係るＩＤカード発行システムのシステムブロック図である。
【図４】本発明の実施形態に係るＩＤカード発行システムの処理手順を説明するフローチャート図である。
【符号の説明】
【００２９】
１  部屋
２  利用者
３  出入口
４  ＩＤカード発行装置
５  ＩＤカード
６  入退室管理装置
７  パソコン
８  キャビネット
９  顔写真画像
１０  磁気記録部
１１  サーバ
１２  通信線
１３  生体情報送信手段
１４  生体情報読取手段
１５  カード排出手段
１６  個人情報書込表示手段
１７  認証用情報書込手段
１８，２４  インターフェース（Ｉ/Ｆ）
１９  カード回収手段
２０  表示消去手段
２１  認証用情報消去手段
２２，２９  制御手段
２３  カードストッカー
２５  カード発行用情報送信手段
２６  照合手段
２７  カード発行用情報抽出手段
２８  記憶手段
３０  個人情報データベース
【図１】
2008027106.tif 000003
【図２】
2008027106.tif 000004
【図３】
2008027106.tif 000005
【図４】
2008027106.tif 000006